(57)【特許請求の範囲】
【請求項１】
股下部と，前身頃と，後身頃に区分される使い捨ておむつにおいて
液透過性のトップシート（１）と，
液不透過性のバックシート（２）と，
前記トップシート（１）と前記バックシート（２）の間に介在する液吸収性の吸収体（３）と，
前記使い捨ておむつの前身頃において，前記吸収体（３）よりも幅方向外側へ延出する前身頃側のサイドフラップ（４）と，
前記使い捨ておむつの後身頃において，前記吸収体（３）よりも幅方向外側へ延出する後身頃側のサイドフラップ（４）と，
前記後身頃側のサイドフラップ（４）の側縁から幅方向外側へ突出するように，前記後身頃側のサイドフラップ（４）に取り付けられた一又は複数の止着テープ（５）を具備し，
前記後身頃側のサイドフラップ（４）は，
幅方向内方へ向かって折り返される内方折返線（４１１）と，幅方向外方へ向かって折り返される外方折返線（４２２）において折り返されることで形成されたタック（４１）と，
前記タック（４１）を形成する前記内方折返線（４１１）と前記外方折返線（４１２）の間の領域に，前記後身頃側のサイドフラップ（４）が折り返された状態を部分的に保持するための接合部（４２）を，有し，
前記一又は複数の止着テープ（５）の少なくとも１つは，
前記後身頃側のサイドフラップ（４）のうち，前記接合部（４２）より幅方向外側であって，前記接合部（４２）が形成された位置から幅方向外方へ向かって延びる延長線から，前記幅方向と直交する方向に所定距離ずれた位置に取り付けられる
使い捨ておむつ。
【請求項２】
前記一又は複数の止着テープ（５）には，少なくとも，第１の止着テープ（５ａ）と，第２の止着テープ（５ｂ）が含まれており，
前記第１の止着テープ（５ａ）は，前記接合部（４２）が形成された位置から幅方向外方へ向かって延びる延長線上に取り付けられ，
前記第２の止着テープ（５ｂ）は，前記接合部（４２）が形成された位置から幅方向外方へ向かって延びる延長線から，前記幅方向と直交する方向に所定距離ずれた位置に取り付けられる
請求項１に記載の使い捨ておむつ。
【請求項３】
前記一又は複数の止着テープ（５）には，少なくとも，第１の止着テープ（５ａ）と，第２の止着テープ（５ｂ）が含まれており，
前記第１の止着テープ（５ａ）は，前記接合部（４２）が形成された位置から幅方向外方へ向かって延びる延長線から，前記幅方向と直交する方向に第１の距離ずれた位置に取り付けられており，
前記第２の止着テープ（５ｂ）は，前記接合部（４２）が形成された位置から幅方向外方へ向かって延びる延長線から，前記幅方向と直交する方向に第２の距離ずれた位置に取り付けられている
請求項１に記載の使い捨ておむつ。
【請求項４】
前記一又は複数の止着テープ（５）には，少なくとも，第１の止着テープ（５ａ）と，第２の止着テープ（５ｂ）が含まれており，
前記第１の止着テープ（５ａ）は，前記接合部（４２）が形成された位置から幅方向外方へ向かって延びる延長線から，前記幅方向と直交する上方向に向かってに第１の距離ずれた位置に取り付けられており，
前記第２の止着テープ（５ｂ）は，前記接合部（４２）が形成された位置から幅方向外方へ向かって延びる延長線から，前記幅方向と直交する下方向に向かって第２の距離ずれた位置に取り付けられている
請求項１に記載の使い捨ておむつ。
【請求項５】
前記サイドフラップ（４）は，前記接合部（４２）を複数有し，
前記一又は複数の止着テープ（５）には，
前記複数の接合部（４２）が形成されたそれぞれの位置から幅方向外方へ向かって延びる延長線から，前記幅方向と直交する方向に所定距離ずれた位置に取り付けられた止着テープ（５）が含まれる
請求項１に記載の使い捨ておむつ。
【請求項６】
前記サイドフラップ（４）には，
前記タック（４１）が，複数形成されており，
前記複数のタック（４１）のそれぞれには，
折り返された状態を部分的に保持するための接合部（４２）が，前記内方折返線（４１１）と前記外方折返線（４１２）の間の領域に形成されている
請求項１に記載の使い捨ておむつ。
【発明の詳細な説明】
【技術分野】
【０００１】
本発明は，着用者の股下に装着され，尿などの液体を吸収し保持するための使い捨ておむつに関する。具体的に説明すると，本発明は，止着テープを用いて着用者の身体に装着されるテープ式の使い捨ておむつに関するものである。
【背景技術】
【０００２】
従来から，液透過性のトップシートと，液不透過性のバックシートと，これらのシートの間に介在する液吸収性の吸収体３を具備する使い捨ておむつが知られている。また，使い捨ておむつの代表的な型として，止着テープを用いて着用者の身体に装着されるテープ式の使い捨ておむつが知られている。
【０００３】
テープ式の使い捨ておむつは，一般的に，吸収体よりも幅方向外側へ延出するサイドフラップが設けられ，このサイドフラップの側縁から幅方向外側へ突出するように一又は複数の止着テープがサイドフラップに取り付けられた構造となっている。
【０００４】
また，一般的なテープ型の使い捨ておむつは，前身頃を着用者の腹部に，後身頃を着用者の背部にあてがった状態で，後身頃に取り付けられている止着テープを摘んで前身頃に貼り付けることにより，着用者に装着される（特許文献１）。
【先行技術文献】
【特許文献】
【０００５】
【特許文献１】特開２０１０−５７７１３号公報
【発明の概要】
【発明が解決しようとする課題】
【０００６】
しかしながら，従来のテープ式の使い捨ておむつにおいて，止着テープは，伸縮性や展開性のないサイドフラップに取り付けられていた。このため，テープ式の使い捨ておむつを着用者の身体に装着するに際して，後身頃のサイドフラップに取り付けられた止着テープを摘み，前身頃まで回して貼り付けるまでの間の止着テープの可動域は限られたものであった。この点，使い捨ておむつの装着者の体型は千差万別であり，止着テープの可動域が限られたものである場合，着用者の体型に合わせて，テープ式の使い捨ておむつがフィットするように，止着テープを前身頃に貼り付ける位置や角度を適宜調節することは困難である。また，テープ式の使い捨ておむつの着用者の身体に対するフィット性が悪いと，おむつと身体の間に隙間が生じ，生じた隙間から尿などの液体が漏れ出すという事態も生じる。
【０００７】
このような，問題を解決するために，例えば，サイドフラップに止着テープを予め傾斜させた状態で取り付けるという技術が提案されている。具体的に説明すると，このようなテープ式の使い捨ておむつは，例えば，サイドフラップに取り付けられた２つの止着テープのうちの一つを使い捨ておむつの幅方向と平行に取り付け，もう一方を予め所定角度傾斜させて取り付けることにより，止着テープを前身頃に貼り付け易くするというものである。
【０００８】
しかしながら，上記のテープ式の使い捨ておむつのように止着テープを予め所定角度傾斜させて取り付けたとしても，装着に際し，着用者それぞれの体型に合せて，前身頃に止着テープを貼り付ける位置や角度を適宜調節することはできかった。また，着用者それぞれの体型に合わせて止着テープを所定角度傾斜させて取り付けたテープ式の使い捨ておむつを製造することは，極めて生産性が悪いものであった。
【０００９】
このため，現在は，装着に際し，着用者の体型に合わせてフィットするように，前身頃に貼り付ける止着テープの位置や角度を適宜調節することができるテープ式の使い捨ておむつが求められている。
【課題を解決するための手段】
【００１０】
そこで，本発明の発明者は，上述したテープ式の使い捨ておむつに関する従来発明の問題点を解決する手段について鋭意検討した結果，サイドフラップにタックを形成した上で止着テープを取り付け，このタックの一部のみを固定し，その他の部分を展開可能とすることにより，展開可能となった遊び部分において，前身頃に貼り付ける止着テープの位置や角度を適宜調節することができるという知見を得た。そして，本発明者は，上記知見に基づけば，従来技術の課題を解決できることに想到し，本発明を完成させた。
具体的に本発明は，以下の構成を有する。
【００１１】
本発明は，股下部と，前身頃と，後身頃に区分されるテープ式の使い捨ておむつに関するものである。テープ式の使い捨ておむつは，液透過性のトップシート１と，液不透過性のバックシート２と，トップシート１とバックシート２の間に介在する液吸収性の吸収体３と，前身頃と後見頃から吸収体３よりも幅方向外側へ延出するサイドフラップ４と，サイドフラップ４の側縁から幅方向外側へ突出するように後見頃のサイドフラップ４に取り付けられた一又は複数の止着テープ５を具備する。
サイドフラップ４は，まず，幅方向内方へ向かって折り返される内方折返線４１１と，幅方向外方へ向かって折り返される外方折返線４２２とにおいて折り返されることで形成されたタック４１を有する。
また，サイドフラップ４は，このように折り返された状態を部分的に保持するための接合部４２を，タック４１を形成する内方折返線４１１と外方折返線４１２の間の領域に有する。
そして，一又は複数の止着テープ５は，サイドフラップ４のうち，接合部４２より幅方向外側に取り付けられている。
【００１２】
このように，サイドフラップ４にタック４１を設け，このタック４１を部分的に固定し，その他の部分を展開可能とすることとにより，展開可能となった遊び部分において，前身頃に貼り付ける止着テープ５の位置や角度を適宜調節することができる。
【００１３】
また，本発明に係るテープ式の使い捨ておむつにおいては，一又は複数の止着テープ５には，接合部４２が形成された位置から幅方向外方へ向かって延びる延長線から，幅方向と直交する方向に所定距離ずれた位置に取り付けられた止着テープ５が含まれることが好ましい。
【００１４】
要するに，本発明の好ましい形態においては，止着テープ５が，タック４１を部分的に接合する接合部４２の延長線からずれた位置に取り付けられる。このため，接合部４２の延長線からずれた止着テープ５の位置においては，タック４１が接合部４２を支点として部分的に展開可能となり，ある程度自由な位置や角度で，止着テープ５を前身頃に貼り付けることができる。従って，このような止着テープ５を用いて装着すれば，使い捨ておむつと着用者の身体のフィット性が向上する。
【００１５】
また，一又は複数の止着テープ５には，少なくとも，第１の止着テープ５ａと，第２の止着テープ５ｂが含まれていることが好ましい。そして，第１の止着テープ５ａは，接合部４２が形成された位置から幅方向外方へ向かって延びる延長線上に取り付けられ，第２の止着テープ５ｂは，接合部４２が形成された位置から幅方向外方へ向かって延びる延長線から，幅方向と直交する方向に所定距離ずれた位置に取り付けられることが好ましい。
【００１６】
要するに，本発明の好ましい形態においては，第１の止着テープ５ａが，接合４２部の延長線上に取り付けられ，第２の止着テープ５ｂが，接合部４２の延長線からずれた位置に取り付けられる。このように，タックが展開できない位置に取り付けられた第１の止着テープ５ａと，タック４１が展開可能な位置に取り付けられた第２の止着テープ５ｂをそれぞれ設けることにより，例えば，まず展開できない第１の止着テープ５ａを前身頃に貼りつけて，使い捨ておむつを着用者の身体に固定した後，展開可能な第２の止着テープ５ｂを貼り付ける位置や角度を調節することによって，使い捨ておむつと着用者の身体のフィット性を向上させることができる。
【００１７】
また，本発明の好ましい形態においては，第１の止着テープ５ａを，接合部４２が形成された位置から幅方向外方へ向かって延びる延長線から，幅方向と直交する方向に第１の距離ずれた位置に取り付け，第２の止着テープ５ｂを，接合部４２が形成された位置から幅方向外方へ向かって延びる延長線から，幅方向と直交する方向に第２の距離ずれた位置に取り付けることとしてもよい。なお，第１の距離と第２の距離は，同一の距離であってもよいし，異なる距離であってものであってもよい。
【００１８】
要するに，本発明においては，第１の止着テープ５ａと第２の止着テープ５ｂを，それぞれ，接合部の延長線からずれた位置に取り付けることとしてもよい。このように構成することで，第１の止着テープ５ａと第２の止着テープ５ｂのそれぞれが前身頃に貼り付ける位置を，着用者の体型に合わせて適宜調節することができるため，使い捨ておむつと着用者の身体のフィット性をさらに向上させることができる。
【００１９】
さらに，本発明の好ましい形態においては，第１の止着テープ５ａを，接合部４２が形成された位置から幅方向外方へ向かって延びる延長線から，幅方向と直交する上方向に向かって第１の距離ずれた位置に取り付け，第２の止着テープ５ｂを，接合部４２が形成された位置から幅方向外方へ向かって延びる延長線から，幅方向と直交する下方向に向かって第２の距離ずれた位置に取り付けることとしてもよい。
【００２０】
要するに，上部に設けられた第１の止着テープ５ａと，下部に設けられた第２の止着テープ５ｂの間に相当する位置に，接合部４２を設けることとしてもよい。このように構成することにより，上部に設けられた第１の止着テープ５ａを，前身頃に貼りつけられるに際して下方へ傾斜させ，下部に設けられた第２の止着テープ５ｂを，前身頃に貼りつけられるに際して上方へ傾斜させることが可能となるため，使い捨ておむつと着用者の身体のフィット性をさらに向上させることができる。
【００２１】
また，本発明に係るテープ式の使い捨ておむつにおいては，サイドフラップ４は，接合部４２を複数有することとしてもよい。この場合において，一又は複数の止着テープ５には，複数の接合部４２が形成されたそれぞれの位置から幅方向外方へ向かって延びる延長線から，幅方向と直交する方向に所定距離ずれた位置に取り付けられた止着テープ５が含まれることが好ましい。
【００２２】
このように，接合部４２が複数形成され，これらの接合部４２の延長線からずれた位置に止着テープ５を取り付けることで，例えば，この止着テープ５は，複数の接合部４２を支点として，前身頃に貼りつけられるに際して，複数の角度（例えば２段階の角度）で傾斜可能となる。
【００２３】
さらに，サイドフラップ４には，タック４１が，複数形成されており，複数のタック４１のそれぞれには，折り返された状態を部分的に保持するための接合部４２が，内方折返線４１１と外方折返線４１２の間の領域に形成されていることとしてもよい。
【００２４】
このように，サイドフラップ４にはタック４１を複数形成することとしてもよく，この場合，例えば，止着テープ５は，タック４１のそれぞれを部分的に固定する複数の接合部４２を支点として，前身頃に貼りつけられるに際し，複数の角度（例えば２段階の角度）で傾斜可能となる。
【図面の簡単な説明】
【００２５】
【図１】図１は，テープ式の使い捨ておむつの展開図の例を示しており，トップシート側から見た平面を示している。
【図２】図２は，使い捨ておむつの装着時における形態の例を示した斜視図であり，前身頃から見た状態を示している。
【図３】図３は，サイドフラップを拡大して示した例を示す拡大図である。
【図４】図４は，接合部が形成された位置において，サイドフラップを使い捨ておむつの幅方向に切断した断面形状の例を示す断面図である。
【図５】図５は，サイドフラップを拡大して示した例を示す拡大図である。
【図６】図６は，サイドフラップを拡大して示した例を示す拡大図である。
【図７】図７は，サイドフラップを拡大して示した例を示す拡大図である。
【発明を実施するための形態】
【００２６】
以下，図面を用いて本発明を実施するための形態について説明する。本発明は，以下に説明する形態に限定されるものではなく，以下の形態から当業者が自明な範囲で適宜修正したものも含む。
なお，本明細書において，「使い捨ておむつの長手方向」というときは，使い捨ておむつの前身頃と後身頃を結ぶ方向（図１の上下方向）を意味し，「使い捨ておむつの幅方向」というときは，使い捨ておむつの長手方向と直交する方向（図１の左右方向）を意味するものとする。
【００２７】
（１．第１の実施形態）
以下，本発明に係るテープ式の使い捨ておむつ１０の第１の実施形態について説明する。
【００２８】
（１−１．使い捨ておむつの全体構成）
まず，第１の実施形態の全体構成について説明する。
図１は，本発明に係るテープ式の使い捨ておむつ１０（以下，単に，使い捨ておむつ１０という）の展開図の例を示しており，トップシート１側から見た平面を示している。
【００２９】
使い捨ておむつ１０は，着用者の肌に接する面に設けられた液透過性のトップシート１と，トップシート１とは反対の面に設けられた液不透過性のバックシート２と，トップシート１とバックシート２の間に介在する吸収体３とを有する。また，使い捨ておむつ１０の前身頃７１と後身頃７２には，それぞれ，吸収体３よりもおむつの幅方向の両外側へ延出するサイドフラップ４が形成されている。また，後身頃７２に形成されたサイドフラップ４のそれぞれには，サイドフラップ４の側縁からおむつの幅方向外側へ突出するように，止着テープ５が取り付けられている。また，使い捨ておむつ１０には，トップシート１との固定線において吸収体３の両縁部に沿って起立する一対の立体ギャザー６が設けられている。
【００３０】
使い捨ておむつ１０では，着用者が排泄した尿などの液体をトップシート１で受け，トップシート１を透過した液体をトップシート１とバックシート２間に配置された吸収体３により吸収し保持する。また，使い捨ておむつ１０では，液体を受ける際において，吸収体３の両側縁部に沿って起立する立体ギャザー６によって，液体の横漏れを防止する。
【００３１】
また，使い捨ておむつの幅方向に延出したサイドフラップ４は，使い捨ておむつの幅方向と直交する２本の折返線においてＺ字状に２度折り返されることにより，タック４１が形成されている。タック４１は，Ｚ字状となった領域において，接合部４２により，幅方向と直交する方向に部分的に接合されている。サイドフラップ４のうち，接合部４２により接合された部分はタック４１が展開できず，その他の部分はタック４１が展開可能となっている。
【００３２】
図２は，使い捨ておむつ１０の装着時における形態の例を示した斜視図であり，前身頃７１から見た状態を示している。図２は，基本的に，図１に示された展開図の使い捨ておむつ１０を，着用者に装着する際の形態としたものを示している。
【００３３】
使い捨ておむつ１０は，装着時に着用者の腹部に接する前身頃７１と，装着時に着用者の背部を接する後身頃７２と，装着時に着用者の股下に接する股下部７３を含む。また，後身頃７２の両側縁部から延在しているサイドフラップ４には，それぞれ，止着テープ５が取り付けられている。また，前身頃７１のバックシート側２の面には，止着テープ５に対応した雄雌関係となり止着テープ５が貼り付けられる貼付部７４が設けられている。そして，使い捨ておむつ１０は，前身頃７１，後身頃７２及び股下部７３を，それぞれ装着者の腹部，背部，及び股下にあてがった状態で，止着テープ５を，着用者の背部から腰周りを経由して腹部にまわし，貼付部７４に貼り付けることにより，着用者の身体に装着される。また，使い捨ておむつ１０の股下部７３には，吸収体３の両側縁に沿って，使い捨ておむつの長手方向に脚周り伸縮部材７５が配設されており，使い捨ておむつ１０の着用時において，脚周り伸縮部材７５は収縮し，脚周りギャザー７６を形成する。
【００３４】
また，サイドフラップ４のうち，接合部４２が形成されておらずタック４１が展開可能となっている位置に取り付けられた止着テープ５は，貼付部７４に貼り付けられる際，ある程度自由に，貼り付けの位置及び角度を調節できる。すなわち，止着テープ５を引き延ばすと，タック４１の一部が展開し，タック４１の展開した部分が遊びとなって，接合部４２を支点として，止着テープ５が取り付けられたサイドフラップ４が屈折したり湾曲したりするようになっている。
【００３５】
（１−２．使い捨ておむつの具体的構成）
次に，図１から図５を参照して使い捨ておむつ１０の具体的構成について説明する。
【００３６】
（１−２−１．トップシート）
トップシート１は，着用者の股下の肌に直接接し，尿などの液体を吸収体３に透過させるための部材である。このため，トップシート１は，柔軟性が高い液透過性材料で構成されることが好ましい。トップシート１は，吸収体３の表面（着用者の肌と当接する面）を被覆するように配置される。
【００３７】
トップシート１を構成する不透過性材料の例は，織布，不織布，又は多孔性フィルムである。また，トップシート１には，例えばポリプロピレンやポリエチレン，ポリエステル，ナイロンのような熱可塑性樹脂の繊維を親水化処理してさらに不織布にしたものを用いることとしてもよい。
【００３８】
（１−２−２．バックシート）
バックシート２は，トップシート１を透過し，吸収体３に吸収された液体が，漏出することを防止するための部材である。このため，バックシート２は，液不透過性材料によって構成される。そして，バックシート２は，吸収体３の底面（着用者の肌と当接する面と反対の面）からの液漏れを防止するため，吸収体３の底面を被覆するように配置される。
【００３９】
バックシート２を構成する不透過材料の例は，ポリエチレン樹脂からなる液不透過性のフィルムである。特に，０．１〜４μｍ，又は２〜３μｍの微細な孔が複数形成された微多孔性ポリエチレンフィルムを用いることが好ましい。
なお，本明細書において，「Ａ〜Ｂ」とは，「Ａ以上Ｂ以下」であることを意味する。
【００４０】
バックシート２の外表面には，バックシート２を補強しその手触りを良くするために，カバーシート７７を貼り合わせることとしても良い。カバーシート７７を構成する材料としては，織布や不織布が用いられる。特に，カバーシート７７を構成する材料として，ポリエチレン，ポリプロピレン，ポリエステルのような熱可塑性樹脂からなる不織布又は湿式不織布を用いることが好ましい。
【００４１】
（１−２−３．吸収体）
吸収体３は，尿などの液体を吸収し，吸収した液体を保持するための部材である。吸収体３は，液透過性のトップシート１と，液不透過性のバックシート２の間に配置される。吸収体３は，トップシートを透過した液体を吸収保持する機能を有し，吸収性材料により構成される。
【００４２】
吸収体３を構成する吸収性材料には，公知の材料を採用することができる。吸収性材料としては，例えば，フラップパルプ，高吸収性ポリマー，又は親水性シートを用いることとしても良い。また，吸収性材料には，フラップパルプ，高吸収性ポリマー，又は親水性シートのうち１種類を単独で用いてもよいし，２種類以上を併用することとしてもよい。吸収性材料は，通常，単層又は複数層のマット状に形成され，用いられる。
【００４３】
また，吸収体３は，トップシート１とバックシート２の間の少なくとも一部に挟持されることが好ましい。吸収体３は，トップシート１とバックシート２の間に挟み込まれ，その周縁部が封着されることによってトップシート１とバックシート２との間に固定される。
【００４４】
吸収体３の形状は，適宜，使い捨ておむつの形状や，大きさ，用途に合せて設計することができる。例えば，吸収体３の形状は，砂時計型としてもよい。また，吸収体３の形状は，矩形型，楕円形型，又はひょうたん型とすることとしてもよい。
【００４５】
（１−２−４．サイドフラップ）
サイドフラップ４は，吸収体３よりも使い捨ておむつの幅方向外側の両側へ延出するようにして形成されている。サイドフラップ４は，前身頃７１と後身頃７２のそれぞれの両側部に延在するように形成されており，使い捨ておむつ１０の着用時において，前身頃７１と後身頃７２を繋ぐようにして着用者の両脇腰部をに接触する。
【００４６】
サイドフラップ４は，例えば，トップシート１とバックシート２を，使い捨ておむつの幅方向外側へ延出する形状に形成し，これらを貼り合わせることにより形成することとしてもよい。また，サイドフラップ４は，例えば，トップシート１とカバーシート７７を，使い捨ておむつの幅方向外側へ延出する形状に形成し，これらを貼り合わせることにより形成することとしてもよい。また，サイドフラップ４は，立体ギャザー６を形成するシート材とカバーシート７７を，使い捨ておむつの幅方向外側へ延出する形状に形成し，これらを貼り合わせることにより形成することとしてもよい。特に，サイドフラップ４は，通気性を確保する観点から，不織布で形成された立体ギャザー６のシート材と，不織布で形成されたカバーシート７７を貼り合わせることにより，形成することが好ましい。
【００４７】
具体的に説明すると，立体ギャザー６のシート材とカバーシート７７は，使い捨ておむつ１０の股下部７３においては，その間にトップシート１やバックシート２を挟みこむようにしてホットメルト接着剤等によって接着されている。また，使い捨ておむつ１０の前身頃７１と後身頃７２においては，吸収体３より幅方向外側へ延出した部分で，立体ギャザー６のシート材とカバーシート７７同士が接着され２層構造となっている。
【００４８】
図３は，サイドフラップ４を拡大して示した例を示す拡大図である。具体的に，図３は，基本的に，図２に示された一点鎖線の部分におけるサイドフラップ４を拡大して示した図であり，使い捨ておむつ１０の外表面側（カバーシート７７側）から見た状態を示している。図３（ａ）は，タック４１が展開していない状態を示しており，図３（ｂ）は，タック４１が部分的に展開した状態を示している。
【００４９】
図１から図３に示されるように，使い捨ておむつ１０の後身頃７２に形成されたサイドフラップ４には，タック４１が形成されている。サイドフラップ４にタック４１を形成するためには，まず，使い捨ておむつの幅方向外側へ延出しているサイドフラップ４を，使い捨ておむつの幅方向と直交する方向（長手方向）に形成された内方折返線４１１において，使い捨ておむつの内方へと折り返す。次に，内方折返線４１１において折り返されたサイドフラップ４を，使い捨ておむつの幅方向と直交する方向（長手方向）に形成された外方折返線４１２において，使い捨ておむつの外方へと折り返す。これにより，サイドフラップ４は，Ｚ字状に折り畳まれ，折り畳まれた部分においてタック４１が形成される。すなわち，図３に示されるとおり，内方折返線４１１と外方折返線４１２の間に位置する領域においては，サイドフラップ４はＺ字状に折り畳まれ，３層構造となっている。
【００５０】
ここで，タック４１の使い捨ておむつの幅方向における大きさは，内方折返線４１１と外方折返線４１２の間の距離に依存する。すなわち，内方折返線４１１から外方折返線４１２までの距離が大きければ，使い捨ておむつの幅方向に大きいタック４１が形成され，一方で，方折返線４１１から外方折返線４１２までの距離が小さければ，使い捨ておむつの幅方向に小さいタック４１が形成される。内方折返線４１１と外方折返線４１２の間の距離は，例えば，５ｍｍ〜５０ｍｍ，１０ｍｍ〜４０ｍｍ，２０ｍｍ〜３０ｍｍ，又は２５ｍｍであってもよい。内方折返線４１１から外方折返線４１２までの距離が大きければ，タック４１の展開時における展開幅も大きくなる。この点については，後述する。
【００５１】
なお，図３に示されたタック４１は，内方折返線４１１において，使い捨ておむつの外表面側（カバーシート７７側）に折り返され，外表面側に積層するように形成されている。ただし，タック４１は，内方折返線４１１において，使い捨ておむつの内表面側（トップシート１側）に折り返され，内表面側に積層するように形成されたものであってもよい。
【００５２】
このように，サイドフラップ４は，使い捨ておむつの長手方向に形成された折返線４１１，４２２において二度折り返されタック４１を形成するものである。このため，タック４１を形成する前の状態における，サイドフラップ４の使い捨ておむつの幅方向の長さ（延出した部分の長さ）は，例えば，６０ｍｍ〜２５０ｍｍ，１００ｍｍ〜２００ｍｍ，又は１２０ｍｍ〜１８０ｍｍ程度設けられることが好ましい。そして，タック４１を形成した後の状態における，サイドフラップ４の使い捨ておむつの幅方向の長さ（延出した部分の長さ）は，例えば，５０ｍｍ〜２００ｍｍ，８０ｍｍ〜１８０ｍｍ，又は１００〜１５０ｍｍ程度であることが好ましい。
【００５３】
このようにして形成されたタック４１は，内方折返線４１１と外方折返線４１２の間において３層構造となった領域が，接合部４２によって，使い捨ておむつの幅方向と直交する方向に部分的に接合される。すなわち，図１から図３に示されるように，接合部４２は，使い捨ておむつの幅方向と直交する方向（長手方向）には，内方折返線４１１と外方折返線４１２の間の領域を全て接合せず，部分的に折り返されたタック４１を接合する。接合部４２において，タック４１を形成したサイドフラップを接合する手段としては，例えば，ホットメルト接着剤やその他流動性のある接着剤を用いた接合方法を用いてもよいし，ヒートシールのような熱溶着や超音波溶着により接合方法を用いても良い。
【００５４】
例えば，接合部４２は，サイドフラップ４のうち，使い捨ておむつの長手方向の長さの１／２，１／３〜２／３，１／４〜３／４，１／５〜４／５，又は１／６〜５／６を接合することが好ましい。具体的に説明すると，サイドフラップ４の使い捨ておむつの長手方向の長さは，その側縁部において，例えば，１５０ｍｍ〜４００ｍｍ，又は２００ｍｍ〜３００ｍｍ程度であることが好ましく，そのうち接合部４２によって接合される長さは，１０ｍｍ〜６０ｍｍ，２０ｍｍ〜５０ｍｍ，又は３０ｍｍ〜４０ｍｍであることが好ましい。また，図３に示されるように，止着テープ５のサイドフラップ４に取り付けられる部分の長さと同じ長さに，接合部４２が接合する長さを設定することとしてもよい。止着テープのサイドフラップ４に取り付けられる部分の長さは，例えば，３０ｍｍ〜２００ｍｍ，４０ｍｍ〜１５０ｍｍ，又は５０ｍｍ〜１００ｍｍである。
【００５５】
また，接合部４２は，内方折返線４１１から外方折返線４１２までの幅と同一又は略同一の幅において，内方折返線４１１から外方折返線４１２の間の領域を接合することが好ましい。ただし，接合部４２は，内方折返線４１１から外方折返線４１２までの幅の１／２，１／３〜１／３，又は１／４〜３／４を接合するものであってもよい。
【００５６】
図３に示されるように，サイドフラップ４の側縁部には，サイドフラップ４の側縁から使い捨ておむつの幅方向外側へ突出するようにして，一又は複数の止着テープ５が取り付けられている。図３に示す例において，一又は複数の止着テープ５には，使い捨ておむつ１０の展開時において，後身頃７２の端部寄り（図３中上部側）に取り付けられた第１の止着テープ５ａと，前身頃７１寄り（図３中下部側）に取り付けられた第２の止着テープ５ｂを含む。
【００５７】
また，図３に示されるように，サイドフラップ４において接合部４２が形成された位置に対して，第１の止着テープ５ａは，接合部４２が形成された位置から使い捨ておむつの幅方向外方へ向かって延びる延長線上に，取り付けられている。つまり，接合部４２が形成された領域におけるどの位置から使い捨ておむつの幅方向外方へ向かって延長線を引いたとしても，その延長線上には，第１の止着テープ５ａが存在していることが好ましい。一方，第２の止着テープ５ｂは，接合部４２が形成された位置から使い捨ておむつの幅方向外方へ向かって延びる延長線から，幅方向と直交する方向に所定距離ずれた位置に取り付けられている。つまり，第２の止着テープ５ｂは，接合部４２が形成された領域における位置から使い捨ておむつの幅方向外方へ向かって引かれたどの延長線からも所定距離ずれた位置に存在していることが好ましい。
【００５８】
第２の止着テープ５ｂは，例えば，接合部４２が形成された位置から使い捨ておむつの幅方向外方へ向かって延びる延長線（以下，単に，接合部４２の延長線上ともいう）から，０．１ｍｍ〜１００ｍｍ，２０ｍｍ〜８０ｍｍ，３０ｍｍ〜７０ｍｍ，又は５０ｍｍ程度の距離で，使い捨ておむつの長手方向下方にずれていること好ましい。第２の止着テープ５ｂが，接合部の延長線上４２からずれる距離は，サイドフラップ４の幅や長さに応じて適宜調節すればよい。また，第１の止着テープ５ａと第２の止着テープ５ｂは，所定の間隔を空けて，サイドフラップ４の側縁部に取り付けられていることが好ましい。例えば，第１の止着テープ５ａと第２の止着テープ５ｂの間の距離は，１０ｍｍ〜１００ｍｍ，２０ｍｍ〜８０ｍｍ，又は５０ｍｍであってもよい。
【００５９】
止着テープ５（５ａ，５ｂ）は，図１に示されるように，少なくとも，平板状の基材シート５１と，この基材シート５１のうち着用時において前身頃７１に当接する側に設けられたファスニング部５２とから構成されている。基材シート５１は，例えば，プラスチックや，ポリラミ不織布，不織布，紙から形成されており，その一端側がサイドフラップ４に取り付けられ，他端側にファスニング部５３が解離不能に貼着されている。止着テープ５の基材シート５１は，サイドフラップ４をなすシート材の間（例えば，立体ギャザー６を形成するシート材とカバーシートの間に挟持されるように取り付けられていてもよいし，サイドフラップ４の内表面側又外表面側に，ホットメルト接着剤などによって接着されていてもよい。
【００６０】
ファスニング部５２は，使い捨ておむつ１０の装着時において，前身頃７１の外表面に設けられた貼付部７４と雌雄の関係となって貼り付けられるものであってもよいし，前身頃７１の外表面を覆うカバーシート７７に直接貼り付けられるものであってもよい。例えば，ファスニング部５２は，機械係合式であって，その外面に多数の係合片を有し，貼付部７４に係合する。係合片の形状としては，例えばレ字状，Ｊ字状，マッシュルーム状，又はＴ字状とすることができる。
【００６１】
このように，本発明の第１の実施形態においては，サイドフラップ４にタック４１が形成され，タック４１の一部が接合部４２によって固定され，接合部４２の延長線上に第１の止着テープ５ａが取り付けられ，接合部４２の延長線からずれた位置に第２の止着テープ５ｂが取り付けられている。従って，第１の実施形態に係る使い捨ておむつ１０は，着用者の身体に装着されるに際して，第２の止着テープ５ｂが前身頃７１に貼り付けられるとき，図３（ｂ）に示されるように，タック４１の接合部４２によって固定されていない部分が部分的に展開して遊びが形成される。このため，本発明の第１の実施形態においては，第２の止着テープ５ｂの取り付け位置及び取り付け角度を適宜調節して，前身頃７１に止着テープ５（５ａ，５ｂ）取り付けることができる。具体的には，第２の止着テープ５ｂを，図３（ｂ）に示された矢印の方向に引き延ばし，かつ，湾曲させることができる。一方で，接合部４２の延長線上に取り付けられた第１の止着テープ５ａが，使い捨ておむつ１０の着用時において摘まれたとしても，タック４１は展開しない。このため，例えば，まずは展開できない第１の止着テープ５ａを前身頃７１に貼りつけて，使い捨ておむつを着用者の身体に固定させ，その後展開可能な第２の止着テープ５ｂを貼り付ける位置や角度を調節することによって，使い捨ておむつ１０と着用者の身体のフィット性を向上させることができる。
【００６２】
また，第１の止着テープ５ａと第２の止着テープ５ｂは，図３においては，同じ長さで形成されているが，例えば，第２の止着テープ５ｂを第１の止着テープ５ａより長く形成することとしてもよい。つまり，第２の止着テープ５ｂは，サイドフラップ４の側縁から，上部着テープ５ａより使い捨ておむつの幅方向外側へ，長く突出したものであってもよい。これにより，使い捨ておむつ１０の着用時において，第２の止着テープ５ｂを，前身頃７１に取り付け易くなる。
【００６３】
次に，図４を参照して，タック４１を固定する接合部４２について説明する。図４は，接合部４２が形成された位置において，サイドフラップ４を使い捨ておむつの幅方向に切断した断面形状の例を示す断面図である。図４に示されるように，サイドフラップ４は，内方折返線４１１において使い捨ておむつの内方に，外方折返線４１２において使い捨ておむつの外方に折り返され，Ｚ字状をなすタック４１が形成されている。図４に示された例においては，内方折返線４１１で折り返された部分と，外方折返線４１２において折り返された部分の両方に，例えばホットメルト接着剤のような流動性のある接着剤が塗布された接合部４２が形成されている。ただし，接合部４２は，内方折返線４１１で折り返された部分又は外方折返線４１２において折り返された部分のいずれか一方に形成されるものであってもよい。また，Ｚ字状をなして３層構造となったタック４１の全ての層を，例えば，ヒートシールのような熱溶着や超音波溶着により一貫して接合することにより，接合部４２を形成することとしてもよい。
【００６４】
次に，図５を参照して，タック４１における使い捨ておむつの幅方向の大きさを変更した例について説明する。具体的に説明すると，図５（ａ）は，タック４１における使い捨ておむつの幅方向の大きさを大きめに形成した場合の状態を示しており，図５（ｂ）は，タック４１における使い捨ておむつの幅方向の大きさを小さめに形成した場合の状態を示している。
【００６５】
図５（ａ）に示す例においては，内方折返線４１１においてサイドフラップ４を使い捨ておむつの内方へ折り返した後，大きめの間隔を空けて，外方折返線４１２を形成し，サイドフラップ４を使い捨ておむつの外方へ折り返している。内方折返線４１１から外方折返線４１２までの距離は，例えば，２５ｍｍ〜５０ｍｍ，３５ｍｍ〜４５ｍｍ，又は４０ｍｍ程度である。このように，内方折返線４１１から外方折返線４１２までの間隔を大きめにとることにより，接合部４２によって固定されていないタック４１の部分は，着用時において第２の止着テープ５ｂが引き延ばされた際に大きく展開する。このため，より自由な位置に，より自由に角度をつけて，第２の止着テープ５ｂを前身頃７１に貼り付けることができる。
【００６６】
一方，図５（ｂ）に示す例においては，内方折返線４１１においてサイドフラップ４を使い捨ておむつの内方へ折り返した後，小さめの間隔で，外方折返線４１２を形成し，サイドフラップ４を使い捨ておむつの外方へ折り返している。内方折返線４１１から外方折返線４１２までの距離は，例えば，０．５ｍｍ〜２５ｍｍ，１０ｍｍ〜２０ｍｍ，又は１５ｍｍ程度である。このように，内方折返線４１１から外方折返線４１２までの間隔を小さめにすることにより，接合部４２によって固定されていないタック４１の部分は，着用時において第２の止着テープ５ｂ摘まれた際に小さく展開する。従って，第２の止着テープ５ｂを前身頃７１に貼り付ける際の位置や角度をある程度制限するように調節することも可能である。
【００６７】
なお，図１〜図５には，サイドフラップ４に止着テープ５が２つ取り付けられた例が示されているが，サイドフラップ４に取り付けられる止着テープ５の数は，１つであってもよいし，３つ以上であってもよい。
【００６８】
（１−２−５．立体ギャザー）
立体ギャザー６は，吸収体３の両側縁部に沿って起立し，着用者が排泄した尿の横漏れを防止するための部材である。立体ギャザー６は，起立した状態（上端縁部に配置された弾性伸縮部材が収縮した状態）において尿の防漏壁となるため，トップシート１を透過しなかった尿や，吸収体３により吸収しきれなった尿が，吸収体の脚部周り開口部などから漏出する横漏れを防止する。
【００６９】
一対の立体ギャザー６のそれぞれは，トップシート１の側縁部に固定され，トップシート１及びバックシート２の両側縁部を挟みこむようにして，トップシート１及びバックシート２に固定される。また，立体ギャザーのそれぞれは，例えば不織布からなるシート材により形成される。
【００７０】
立体ギャザー６を構成するシート材４０としては，疎水性材料を用いることが好ましい。疎水性材料の例としては，疎水性が高くかつ通気性が良いという観点から，スパンボンドやカードエンボスのような不織布を用いることが好ましい。特に，疎水性，通気性，及び耐水圧が高くという理由から，ＳＭＳ（スパンボンド／メルトブロー／スパンボンド）や，ＳＭＭＳ（スパンボンド／メルトブロー／メルトブロー／スパンボンド）のような目の詰まった不織布を用いることが好ましい。
【００７１】
（２．第２の実施形態）
次に，図６を参照して，本発明に係るテープ式の使い捨ておむつの第２の実施形態について説明する。第２の実施形態においては，上述した第１の実施形態と同様の部分については説明を省略し，異なる点を中心に説明する。
【００７２】
本発明の第２の実施形態は，サイドフラップ４に一つのタック４１が形成され，このタック４１が一箇所の接合部４２によって部分的に固定され，サイドフラップ４の側端から突出するように第１の止着テープ５ａ及び第２の止着テープ５ｂが取り付けられている点において，第１の実施形態と同様である。一方，第２の実施形態においては，第１の止着テープ５ａ及び第２の止着テープ５ｂのそれぞれが，接合部４２が形成された位置から使い捨ておむつの幅方向に延びる延長線からずれた位置に取り付けられている点において，第１の実施形態と異なっている。
【００７３】
すなわち，第１の止着テープ５ａは，接合部４２が形成された位置から幅方向外方へ向かって延びる延長線から，幅方向と直交する方向に第１の距離ずれた位置に取り付けられている。また，第２の止着テープ５ｂは，接合部４２が形成された位置から幅方向外方へ向かって延びる延長線から，幅方向と直交する方向に第２の距離ずれた位置に取り付けられている。なお，第１の距離と第２の距離は，同一の距離であってもよいし，異なる距離であってものであってもよい。このため，第２の実施形態においては，接合部４２が形成された位置から使い捨ておむつの幅方向に延びる延長線上には，第１の止着テープ５ａ及び第２の止着テープ５ｂが存在しない。
【００７４】
図６（ａ）は，接合部４２が，第１の止着テープ５ａ及び第２の止着テープ５ｂよりも，後身頃７２の端部寄り（図６中上部寄り）に形成されている例を示している。つまり，第１の止着テープ５ａ及び第２の止着テープ５ｂは，接合部４２の延長線から使い捨ておむつの長手方向下方にずれている。また，第１の止着テープ５ａと第２の止着テープ５ｂの間も所定間隔空けてサイドフラップ４の側縁部に取り付けられている。第１の止着テープ５ａが，接合部４２の延長線からずれる距離は，例えば，０．１ｍｍ〜２０ｍｍ，１ｍｍ〜１５ｍｍ，又は５ｍｍ〜１０ｍｍである。一方，第２の止着テープ５ｂが，接合部４２の延長線からずれる距離は，例えば，２５ｍｍ〜１５０ｍｍ，４０ｍｍ〜１００ｍｍ，又は６０ｍｍ〜８０ｍｍである。このように，接合部４２の延長線から第２の止着テープ５ｂまでの距離は，接合部４２の延長線から上部子爵テープ５ａまでの距離よりも大きくなることが好ましい。
【００７５】
上述したように，接合部４２の延長線から，第１の止着テープ５ａ及び第２の止着テープ５ｂが，使い捨ておむつの長手方向下方へずれることで，使い捨ておむつ１０を着用者の身体に装着されるに際して，第１の止着テープ５ａ及び第２の止着テープ５ｂの取り付け位置や取り付け角度を適宜調節して，前身頃７１に取り付けることができる。特に，第１の止着テープ５ａは，接合部４２の延長線に比較的近い位置に配置されているため，前身頃７１に貼り付けられる際に，傾斜可能な角度も比較的小さくなる。また，第２の止着テープ５ｂは，接合部４２の延長線から比較的離間した位置に配置されているため，前身頃７１に貼り付けられる際に，傾斜可能な角度が比較的大きくなる。このように，第１の止着テープ５ａと第２の止着テープ５ｂは，それぞれ前身頃７１に貼り付けられる際に傾斜可能な角度が異なる。従って，使い捨ておむつ１０の装着に際し，着用者の体型に合わせて，使い捨ておむつ１０がフィットするように，前身頃７１に貼り付ける第１の止着テープ５ａと第２の止着テープ５ｂの位置や角度を微調整することができる。
【００７６】
図６（ｂ）は，接合部４２が形成された位置から使い捨ておむつの幅方向外方へむかって延びる延長線が，第１の止着テープ５ａと第２の止着テープ５ｂの間を通るように形成された例を示している。つまり，第１の止着テープ５ａは，接合部４２の延長線から使い捨ておむつの長手方向上方にずれ，第２の止着テープ５ｂは，接合部４２の延長線から使い捨ておむつの長手方向下方にずれている。言い換えると，接合部４２が，第１の止着テープ５ａ及び第２の止着テープ５ｂが取り付けられたそれぞれの位置から使い捨ておむつの幅方向内方へ向かって延びる延長線の間に形成されている。第１の止着テープ５ａが，接合部４２の延長線から上方に向かってずれる距離は，例えば，０．１ｍｍ〜２０ｍｍ，１ｍｍ〜１５ｍｍ，又は５ｍｍ〜１０ｍｍである。また，第２の止着テープ５ｂが，接合部４２の延長線から下方に向かってずれる距離は，例えば，０．１ｍｍ〜２０ｍｍ，１ｍｍ〜１５ｍｍ，又は５ｍｍ〜１０ｍｍである。第１の止着テープ５ａ及び第２の止着テープ５ｂが接合部４２の延長線からずれる距離は，それぞれ異なる距離であってもよいし，同一の距離であってもよい。例えば，接合部４２は，比較的第１の止着テープ５ａに近く，第２の止着テープ５ｂから離間した位置に形成することとしてもよい。
【００７７】
このように，第１の止着テープ５ａは，接合部４２の延長線から，使い捨ておむつの長手方向上方へずれて取り付けられている。このため，使い捨ておむつ１０を着用者の身体に装着されるに際して，図６（ｂ）において矢印で示されるように，第１の止着テープ５ａを，使い捨ておむつの長手方向下方へ傾斜させて，前身頃７１に取り付けることができる。一方，第２の止着テープ５ａは，接合部４２の延長線から，使い捨ておむつの長手方向下方へずれて取り付けられている。このため，使い捨ておむつ１０を着用者の身体に装着されるに際して，図６（ｂ）において矢印で示されるように，第１の止着テープ５ａを，使い捨ておむつの長手方向上方へ傾斜させて，前身頃７１に取り付けることができる。このように，第１の止着テープ５ａと第２の止着テープ５ｂは，それぞれ異なる方向に傾斜して前身頃７１に取り付けられるため，使い捨ておむつ１０の装着時におけるがフィット性が向上する。
【００７８】
（３．第３の実施形態）
次に，図７を参照して，本発明に係るテープ式の使い捨ておむつの第３の実施形態について説明する。第３実施形態においても，上述した第１の実施形態と同様の部分については説明を省略し，異なる点を中心に説明する。
【００７９】
第３の実施形態は，サイドフラップ４の側端に２つの止着テープ５（５ａ，５ｂ）が取り付けられている点においては第１の実施形態と同様であるが，サイドフラップ４に接合部４２が複数設けられている点において異なる。
【００８０】
図７（ａ）は，サイドフラップ４に１つのタック４１が形成され，タック４１を形成する内方折返線４１１と外方折返線４１２の間に，接合部４２が２箇所形成された例を示している。また，この２箇所に形成された接合部４２は，後身頃７２の端部までの距離がそれぞれ異なっている。２箇所の接合部４２のうち，後身頃７２の端部に近い方（図７中上部側）が上部接合部４２ａであり，後身頃７２の端部から遠い方（図７中下部側）が下部接合部４２ｂである。また，下部接合部４２ｂは，図７（ａ）に示されるように，サイドフラップ４のうち，使い捨ておむつの長手方向の幅の中間部付近に形成されていることが好ましい。
【００８１】
また，上部接合部４２ａと下部接合部４２ｂは，使い捨ておむつの幅方向における位置も異なるものであることが好ましい。つまり，上部接合部４２ａは，外方折返線４１２により近い位置に形成され，下部接合部４２ｂは，内方折返線４１１により近い位置に形成されていることが好ましい。
【００８２】
また，図７（ａ）に示されるように，上部接合部４２ａが形成された位置から使い捨ておむつの幅方向外方へ向かって延びる延長線上には，第１の止着テープ５ａが取り付けられている。一方，下部接合部４２ｂ形成された位置から使い捨ておむつの幅方向外方へ向かって延びる延長線上には，止着テープ５（５ａ，５ｂ）が存在しない。また，上部接合部４２ａの延長線，及び下部接合部４２ｂの延長線のいずれからも使い捨ておむつの長手方向に所定距離ずれた位置に，第２の止着テープ５ｂが取り付けられている。更に付言すると，第１の止着テープ５ａは，下部接合部４２ｂの延長線上から使い捨ておむつの長手方向上方に所定距離ずれており，第２の止着テープ５ｂは，下部接合部４２の延長線上から使い捨ておむつの長手方向下方に所定距離ずれている。
【００８３】
第１の止着テープ５ａ，第２の止着テープ５ｂ，上部接合部４２ａ，及び下部接合部４２ｂをそれぞれ上述したような相対的位置に形成することにより，使い捨ておむつ１０の装着時において，第２の止着テープ５ｂが前身頃７１に貼り付けられる際の位置や角度を細かく設定することができる。例えば，第２の止着テープ５ｂが摘まれ，タック４１が展開すると，まず下部接合部４２ａを支点として，第２の止着テープ５ｂは傾斜する。そして，第２の止着テープ５ｂがさらに引き延ばされると，次に上部接合部４２ｂを支点として，第２の止着テープ５ｂが傾斜する。このように，第２の止着テープ５ｂの傾斜可能な角度を２段階とすることもできる。このため，着用者の体型に合わせて使い捨ておむつ１０がフィットするように，止着テープを取り付ける角度を細かく設定することができるため，装着時におけるフィット性を向上させることができる。
【００８４】
図７（ｂ）は，サイドフラップ４に２つのタック４１を形成し，各タック４１を形成する内方折返線４１１と外方折返線４１２の間に，それぞれ，接合部４２を１箇所ずつ形成した例を示している。まず，使い捨ておむつの幅方向外側に延出するサイドフラップ４は，第１の内方折返線４１１ａにおいて，使い捨ておむつの幅方向内方へ向かって折り返される。第１の内包折返線４１１ａにおいて折り返されたサイドフラップ４は，次に第１の外方折返線４１２ａにおいて，使い捨ておむつの幅方向外方へ向かって折り返される。このように，第１の内方折返線４１１ａと第１の外方折返線４１２ａによって，第１のタック４１ａが形成される。続いて，第１の外方折返線４１２ａにおいて折り返されたサイドフラップ４は，第２の内方折返線４１１ｂにおいて，再び，使い捨ておむつの幅方向内方に向かって折り返される。さらに，第２の内方折返線４１１ｂにおいて折り返されたサイドフラップ４は，第２の外方折返線４１２ｂにおいて，再び，使い捨ておむつの幅方向外方に向かって折り返される。このようにして，第２の内方折返線４１１ｂと第２の外方折返線４１２ｂによって，第２のタック４１ｂが形成される。
【００８５】
ここで，第１のタック４１ａ及び第２のタック４１ｂでは，それぞれサイドフラップ４がＺ字状となり３層構造となる。ただし，第１のタック４１ａと第２のタック４１ｂは，サイドフラップ４が６層の構造とならないよう，使い捨ておむつの幅方向において並列して形成されることが好ましい。この場合において，第１の外方折返線４１２ａから第２の内方折返線４１１ｂまでのサイドフラップ４の長さは，第１の内方折返線４１１ａから第１の外方折返線４１２ａまでの長さ（若しくは，第２の内方折返線４１１ｂから第２の外方折返線４１２ｂまでの長さ）の２倍〜３倍に形成すればよい。
【００８６】
また，図７（ｂ）に示されるように。第１のタック４１ａと第２のタック４１ｂのそれぞれに１つずつ形成された接合部４２は，後身頃７２の端部までの距離がそれぞれ異なっている。これらの接合部４２のうち，後身頃７２の端部の近くに位置し，第１のタック４１ａを部分的に固定する接合部が上部接合部４２ａであり，後身頃７２の端部から遠くに位置し，第２のタック４１ｂを部分的に固定する接合部が下部接合部４２ｂである。
【００８７】
さらに，図７（ｂ）に示されるように，上部接合部４２ａが形成された位置から使い捨ておむつの幅方向外方へ向かって延びる延長線上には，第１の止着テープ５ａが取り付けられている。一方，下部接合部４２ｂ形成された位置から使い捨ておむつの幅方向外方へ向かって延びる延長線上には，止着テープ５（５ａ，５ｂ）は存在しない。また，上部接合部４２ａの延長線，及び下部接合部４２ｂの延長線のいずれからも使い捨ておむつの長手方向に所定距離ずれた位置に，第２の止着テープ５ｂが取り付けられている。更に付言すると，第１の止着テープ５ａは，下部接合部４２ｂの延長線上から使い捨ておむつの長手方向上方に所定距離ずれており，第２の止着テープ５ｂは，下部接合部４２の延長線上から使い捨ておむつの長手方向下方に所定距離ずれている。
【００８８】
このように，サイドフラップ４にタック４１を複数形成し，第１の止着テープ５ａ，第２の止着テープ５ｂ，上部接合部４２ａ，及び下部接合部４２ｂをそれぞれ上述したような相対的位置に形成することにより，使い捨ておむつ１０の装着時において，第２の止着テープ５ｂが前身頃７１に貼り付けられる際の位置や角度を細かく設定することができる。例えば，第２の止着テープ５ｂが摘まれると，まず，第２のタック４１ｂが展開し，下部接合部４２ｂを支点として，第２の止着テープ５ｂが傾斜する。そして，第２の止着テープ５ｂがさらに引き延ばされると，次に，第２のタック４１ａが展開し，上部接合部４２ａを支点として，第２の止着テープ５ｂがさらに傾斜する。このように，第２の止着テープ５ｂの傾斜可能な角度を２段階とすることもできる。このため，着用者の体型に合わせて使い捨ておむつ１０がフィットするように，止着テープを取り付ける角度を細かく設定することができるため，装着時におけるフィット性を向上させることができる。
【００８９】
なお，上述した第３の実施形態においては，複数の接合部４２として，２つの接合部４２（４２ａ，４２ｂ）が設けられた例について説明したが，接合部４２は，３つ以上設けることとしてもよい。この場合，止着テープ５が傾斜する角度を３段階以上とすることができる。
また，図７（ｂ）を参照して説明した実施の形態においては，複数のタック４１として，２のタック（４１ａ，４１ｂ）が形成された例について説明したが，タック４１は，３つ以上設けることとしてもよい。また，各タック４１には，２つ以上の接合部４２が設けられることとしてもよい。この場合も，止着テープ５が傾斜する角度を３段階以上とすることができる。
【産業上の利用可能性】
【００９０】
本発明に係るテープ式の使い捨ておむつは，乳幼児や高齢者用のおむつに適用することができる。従って，本発明は，育児及び介護に関する産業において好適に利用し得る。
【符号の説明】
【００９１】
１          トップシート
２          バックシート
３          吸収体
４          サイドフラップ
５          止着テープ
５ａ        第１の止着テープ
５ｂ        第２の止着テープ
６          立体ギャザー
１０        使い捨ておむつ
４１        タック
４１ａ      第１のタック
４１ｂ      第２のタック
４２        接合部
４２ａ      上部接合部
４２ｂ      下部接合部
５１        基材シート
５２        ファスニング部
７１        前身頃
７２        後身頃
７３        股下部
７４        貼付部
７５        脚周り伸縮部材
７６        脚周りギャザー
７７        カバーシート
４１１      内方折返線
４１１ａ    第１の内方折返線
４１１ｂ    第２の内方折返線
４１２      外方折返線
４１２ａ    第１の外方折返線
４１２ｂ    第２の外方折返線
【図１】
0005747602.tif 000002
【図２】
0005747602.tif 000003
【図３】
0005747602.tif 000004
【図４】
0005747602.tif 000005
【図５】
0005747602.tif 000006
【図６】
0005747602.tif 000007
【図７】
0005747602.tif 000008